(57)【要約】【課題】      トリミング画像を拡大して表示画面上でできるだけ大きく表示させるとともに、当該トリミング画像の全体画像上における位置等を示すことができる画像表示装置を提供する。【解決手段】  利用者は、画像表示装置１を操作することにより表示画面２１上にトリミング領域を任意で指定することができる。画像表示装置１は、利用者の操作に基づいて表示画面２１の一部をトリミング領域に設定し、当該トリミング領域に対応する全体画像の一部をトリミング画像とする。そして、画像表示装置１は、表示画面２１のサイズに基づいてトリミング画像を拡大することで拡大画像を作成する。さらに、画像表示装置１は、作成した拡大画像を表示画面２１全体に表示する。これによれば、利用者が自由に指定可能なトリミング領域に割り当てられたトリミング画像を、容易に、表示画面全体で拡大して表示することができる。【選択図】    図１
2005227476.tif 000002
【特許請求の範囲】
【請求項１】
表示画面を備える画像表示装置であって、
前記表示画面に全体画像を表示する全体画像表示手段と、
前記表示画面の一部をトリミング領域に設定するトリミング領域設定手段と、
前記全体画像の一部であって、前記トリミング領域に対応するトリミング画像を、前記表示画面のサイズに基づいて拡大することで拡大画像を作成する拡大画像作成手段と、
前記表示画面に前記拡大画像作成手段が作成した拡大画像を表示する拡大画像表示手段と、を備えることを特徴とする画像表示装置。
【請求項２】
前記拡大画像作成手段は、前記トリミング画像を、前記表示画面のサイズに基づいて最大に拡大することで拡大画像を作成することを特徴とする請求項１に記載の画像表示装置。
【請求項３】
前記表示画面に表示する画像が拡大画像であることを示す指示情報を作成する指示情報作成手段をさらに備え、
前記拡大画像表示手段は、前記表示画面に、前記拡大画像作成手段が作成した拡大画像とともに、前記指示情報作成手段が作成した指示情報を表示することを特徴とする請求項１又は２に記載の画像表示装置。
【請求項４】
前記拡大画像表示手段は、前記表示画面に、前記全体画像に対する前記トリミング画像の位置及びサイズに関する情報の少なくとも１つを認識できるように前記拡大画像作成手段が作成した拡大画像を表示することを特徴とする請求項１乃至３のいずれか一項に記載の画像表示装置。
【請求項５】
前記指示情報は、前記拡大画像の周りを囲むように表示される枠であって、
前記全体画像に対する前記トリミング画像の位置及びサイズに関する情報の少なくとも１つに基づいて、前記枠の幅を調整する指示情報調整手段をさらに備え、
前記拡大画像表示手段は、前記表示画面に、前記拡大画像作成手段が作成した拡大画像とともに、前記指示情報調整手段が調整した指示情報を表示することを特徴とする請求項４に記載の画像表示装置。
【請求項６】
画像表示装置が備える表示画面に全体画像を表示する全体画像表示工程と、
前記表示画面の一部をトリミング領域に設定するトリミング領域設定工程と、
前記全体画像の一部であって、前記トリミング領域に対応するトリミング画像を、前記表示画面のサイズに基づいて拡大することで拡大画像を作成する拡大画像作成工程と、
前記表示画面に前記拡大画像作成手段が作成した拡大画像を表示する拡大画像表示工程と、を有することを特徴とする画像表示方法。
【請求項７】
表示画面を備えるコンピュータにより実行可能なプログラムであって、
前記表示画面に全体画像を表示する全体画像表示手段、
前記表示画面の一部をトリミング領域に設定するトリミング領域設定手段、
前記全体画像の一部であって、前記トリミング領域に対応するトリミング画像を、前記表示画面のサイズに基づいて拡大することで拡大画像を作成する拡大画像作成手段、
前記表示画面に前記拡大画像作成手段が作成した拡大画像を表示する拡大画像表示手段、として前記コンピュータを機能させることを特徴とするプログラム。
【発明の詳細な説明】
【技術分野】
【０００１】
本発明は、１つの表示画面上に全体画像と拡大画像を表示する技術に関する。
【背景技術】
【０００２】
従来、画像のトリミングを行う場合には、表示画面に全体画像を表示し、当該全体画像上においてトリミングを行う位置を表示位置としてポインティングデバイスなどで指定する方法が一般的であった。この方法では、表示位置を変更する場合、再度全体画像上において表示位置をポインティングデバイスなどで指定する必要があるため、一度指定した領域をもう少し拡大するといった表示位置の微調整を容易に行うことができなかった。
【０００３】
また、従来、表示画面の一部に設定された拡大領域に割り当てられた画像を拡大する場合に、全体画像上のどの位置に存在する画像を拡大しているかを示す方法として、当該全体画像の任意の位置に対応する拡大画像の位置を拡大領域の略中心として、全体画像とともに拡大画像を表示することが知られている（例えば、特許文献１）。このとき、全体画像の任意の位置に対応する拡大画像の位置、即ち略中心の確認は回路図やＣＡＤ／ＣＡＭを対象としているため、正確に当該確認を行うことができるように、拡大領域に割り当てられた拡大前の画像と、拡大画像とは線形となるように位置付けられていた。さらに、この方法では、利用者が、拡大領域に割り当てられた画像をどの程度の割合で拡大するかを指定することができるが、拡大画像が全体画像上のどの位置に存在するかを当該拡大画像の表示位置により示していることから、当該拡大画像のサイズは指定することができなかった。
【０００４】
このように、従来の方法では、拡大画像が全体画像上のどの位置に存在するかを確認するためには、全体画像とともに拡大画像を表示しなければならなかった。さらに、これによれば、拡大画像の全体画像上における位置を知ることはできるが、拡大画像のみを大きく表示するためには、利用者による別の操作が必要であった。また、拡大領域に割り当てられた拡大前の画像と、拡大画像とは線形となるように位置付けられているため、拡大画像を表示画面上で極端に大きく表示することはできなかった。そのため、従来の方法では、拡大画像を表示画面上でできるだけ大きく表示するという目的と、拡大画像の全体画像上における位置を示すという目的との両立に限界があった。つまり、従来の方法では、トリミングを施したトリミング画像を表示画面上でできるだけ大きく表示させるとともに、当該トリミング画像の全体画像上における位置等を示すことは困難であった。
【０００５】
【特許文献１】特開平７−１４１５１６号公報
【発明の開示】
【発明が解決しようとする課題】
【０００６】
本発明は以上の点に鑑みてなされたものであり、トリミング画像を拡大して表示画面上でできるだけ大きく表示させるとともに、当該トリミング画像の全体画像上における位置等を示すことができる画像表示装置を提供することを課題とする。
【課題を解決するための手段】
【０００７】
本発明の１つの観点では、表示画面を備える画像表示装置であって、前記表示画面に全体画像を表示する全体画像表示手段と、前記表示画面の一部をトリミング領域に設定するトリミング領域設定手段と、前記全体画像の一部であって、前記トリミング領域に対応するトリミング画像を、前記表示画面のサイズに基づいて拡大することで拡大画像を作成する拡大画像作成手段と、前記表示画面に前記拡大画像作成手段が作成した拡大画像を表示する拡大画像表示手段と、を備える。
【０００８】
また、同様の観点による画像処理方法は、画像表示装置が備える表示画面に全体画像を表示する全体画像表示工程と、前記表示画面の一部をトリミング領域に設定するトリミング領域設定工程と、前記全体画像の一部であって、前記トリミング領域に対応するトリミング画像を、前記表示画面のサイズに基づいて拡大することで拡大画像を作成する拡大画像作成工程と、前記表示画面に前記拡大画像作成手段が作成した拡大画像を表示する拡大画像表示工程と、を有する。
【０００９】
上記のように構成された画像表示装置又は方法において、画像表示装置は、表示画面を備える装置であり、具体的にはテレビ付携帯電話やデジタルカメラ等が挙げられる。利用者は、画像表示装置の表示画面上にトリミング領域を指定する。画像表示装置は、利用者の指定に基づいて表示画面の一部をトリミング領域に設定し、当該トリミング領域に対応する全体画像の一部をトリミング画像とする。つまり、全体画像の一部をトリミング画像としてトリミング領域に割り当てる。そして、画像表示装置は、表示画面のサイズに基づいてトリミング画像を拡大することで拡大画像を作成する。さらに、画像表示装置は、作成した拡大画像を表示画面全体に表示する。これによれば、利用者が自由に指定可能なトリミング領域に割り当てられたトリミング画像を、容易に、表示画面全体で拡大して表示することができる。
【００１０】
上記画像表示装置の一態様では、前記拡大画像作成手段は、前記トリミング画像を、前記表示画面のサイズに基づいて最大に拡大することで拡大画像を作成する。これによれば、画像表示装置は、利用者が自由に指定可能なトリミング領域に割り当てられたトリミング画像を、容易に、表示画面に表示できる最大のサイズに拡大して表示することができる。よって、例えば画像表示装置が小型テレビやテレビ付携帯電話であった場合に、表示画面上で利用者が注目したい部分をトリミング領域に設定することで、閲覧しにくい画像を自由に拡大し、無理なく閲覧することができる。
【００１１】
上記表示装置の他の一態様では、前記表示画面に表示する画像が拡大画像であることを示す指示情報を作成する指示情報作成手段をさらに備え、前記拡大画像表示手段は、前記表示画面に、前記拡大画像作成手段が作成した拡大画像とともに、前記指示情報作成手段が作成した指示情報を表示する。これによれば、画像表示装置は、表示画面上に表示する画像が全体画像ではなく、拡大画像であることを示す情報である指示情報を作成する。そして、画像表示装置は、拡大画像を表示画面上で表示する際に、当該拡大画像とともに指示情報を表示する。よって、指示情報により、利用者は表示画面上で全体画像ではなく拡大画像が表示されていることを容易に認識することができる。
【００１２】
上記画像表示装置の他の一態様では、前記拡大画像表示手段は、前記表示画面に、前記全体画像に対する前記トリミング画像の位置及びサイズに関する情報の少なくとも１つを認識できるように前記拡大画像作成手段が作成した拡大画像を表示する。これによれば、画像表示装置は、表示画面上で拡大画像を表示する際に、当該拡大画像の元であるトリミング画像の全体画像上における位置やサイズに関する情報を認識できるようにする。よって、利用者は、拡大画像を表示画面全体に表示していても、当該拡大画像の元であるトリミング画像の全体画像上における位置やサイズを認識することができる。
【００１３】
上記画像表示装置のさらに他の一態様では、前記指示情報は、前記拡大画像の周りを囲むように表示される枠であって、前記全体画像に対する前記トリミング画像の位置及びサイズに関する情報の少なくとも１つに基づいて、前記枠の幅を調整する指示情報調整手段をさらに備え、前記拡大画像表示手段は、前記表示画面に、前記拡大画像作成手段が作成した拡大画像とともに、前記指示情報調整手段が調整した指示情報を表示する。
【００１４】
上記のように構成された画像表示装置は、表示画面上で表示する拡大画像の元であるトリミング画像の全体画像上における位置やサイズに関する情報に基づいて、当該拡大画像の周りを囲むように表示される枠の幅を調整する。そして、画像表示装置は、当該拡大画像とともに、幅を調整した枠を表示画面上に表示する。これによれば、利用者は、拡大画像を表示画面全体に表示していても、当該拡大画像の元であるトリミング画像の全体画像上における位置やサイズを、当該拡大画像とともに表示されている枠により容易に認識することができる。
【００１５】
本発明の別の観点によれば、表示画面を備えるコンピュータにより実行可能なプログラムであって、前記表示画面に全体画像を表示する全体画像表示手段、前記表示画面の一部をトリミング領域に設定するトリミング領域設定手段、前記全体画像の一部であって、前記トリミング領域に対応するトリミング画像を、前記表示画面のサイズに基づいて拡大することで拡大画像を作成する拡大画像作成手段、前記表示画面に前記拡大画像作成手段が作成した拡大画像を表示する拡大画像表示手段、として前記コンピュータを機能させる。
【００１６】
上記プログラムをコンピュータにより実行することにより、上述の画像表示装置及び画像表示方法を実現することができる。また、上述の画像表示装置及び画像表示方法の各態様も同様に実現することができる。
【発明を実施するための最良の形態】
【００１７】
[画像表示装置]
まず、本発明の画像表示システムについて説明する。図１は、画像表示装置１の概略構成を示す図である。画像表示装置１は、トリミング画像を表示画面上でできるだけ大きく表示させるとともに、当該トリミング画像の全体画像上における位置等を示すことができるものである。
【００１８】
図１に示すように、画像表示装置１は、トリミング開始・決定指示部１０、システム制御部１１、範囲情報取得部１２、調整情報取得部１３、表示位置制御部１６、画像記録部１７、拡大画像作成部１８、拡大画像記録部１９及び表示画面２１を備える。ここで、調整情報取得部１３は、位置情報取得部１４及びズーム情報取得部１５から構成される。具体的に、画像表示装置１は、図２に示すような、表示画面を備えるデジタルカメラやカメラ付き携帯電話等が挙げられる。図２は、デジタルカメラを例として画像表示装置１の構成を模式的に示す図である。ここで、図１及び図２を参照し、画像表示装置１の構成について詳しく説明する。
【００１９】
トリミング開始・決定指示部１０は、利用者が、図２に示すようなトリミング操作指示ボタン２４を操作することにより入力したトリミングの開始又は決定に関する操作信号をシステム制御部１１へ伝達する。システム制御部１１は、受信した操作信号に基づいて利用者の要求通りにトリミングした画像を表示画面２１上で表示するように、範囲情報取得部１２、調整情報取得部１３、表示位置制御部１６、画像記録部１７、拡大画像作成部１８、拡大画像記録部１９及び表示画面２１の制御を行う。
【００２０】
範囲情報取得部１２は、利用者が図２に示すようなタッチパネルとなっている表示画面２１上で所定の操作をすることにより入力した操作信号から、表示画面２１の一部に設定されているトリミング領域２２の範囲を示す位置情報を取得する。換言すると、利用者は、詳細は後述するが、表示画面上で所定の操作をすることにより、トリミング領域２２の位置や大きさを自由に変更することができる。
【００２１】
調整情報取得部１３は、利用者がタッチパネルやズームボタン２３を操作することにより入力した操作信号から、範囲情報取得部が取得した位置情報に基づいてトリミング領域２２に割り当てられたトリミング画像を拡大した拡大画像の位置やズームを調整する調整情報を取得する。なお、調整情報とは、後述する位置情報取得部１４が取得する位置情報と、ズーム情報取得部１５が取得するズーム情報を併せた総称であるものとする。
【００２２】
調整情報取得部１３を構成する位置情報取得部１４は、利用者がタッチパネルとなっている表示画面２１上で所定の操作をすることにより入力した操作信号から、拡大画像の位置情報を取得する。換言すると、利用者は、詳細は後述するが、表示画面上で所定の操作をすることにより、拡大画像の位置を自由に変更することができる。即ち、トリミング領域２２に割り当てられたトリミング画像を拡大した拡大画像を表示画面２１全体に表示した状態で容易に位置を微調整することができる。
【００２３】
調整情報取得部１３を構成するズーム情報取得部１５は、利用者がズームボタン２３を操作することにより入力した操作信号から、拡大画像のズーム情報を取得する。例えば、利用者がズームボタン２３を操作することにより、表示画面２１全体に表示された拡大画像をさらに２倍に拡大して表示した場合、ズーム情報取得部１５は、ズーム情報として「２００％」という情報を取得する。一方、利用者がズームボタン２３を操作することにより、表示画面２１全体に表示された拡大画像を半分に縮小して表示した場合、ズーム情報取得部１５は、ズーム情報として「５０％」という情報を取得する。即ち、本発明では、拡大画像のさらなる拡大のみならず、縮小も同様に行うことができる。換言すると、利用者は、詳細は後述するが、ズームボタン２３を操作することにより、表示画面２１全体に表示された拡大画像の拡大・縮小を自由に設定することができる。即ち、トリミング領域２２に割り当てられたトリミング画像を拡大した拡大画像を表示画面２１全体に表示した状態で容易にズームを微調整することができる。
【００２４】
表示位置制御部１６は、範囲情報取得部１２が取得したトリミング領域２２の範囲を示す位置情報に基づいて、当該トリミング領域２２に割り当てられたトリミング画像を表示画面２１全体に表示する際の位置及びサイズを決定する。即ち、トリミング画像を拡大することにより表示画面２１全体に表示される拡大画像の位置及びサイズを決定する。また、表示位置制御部１６は、調整情報取得部１３が取得した調整情報に基づいて、拡大画像の位置及びズームを調整する。
【００２５】
画像記録部１７は、画像表示装置１の表示画面２１上で表示する画像を記録している。画像記録部１７に記録された画像は静止画であっても動画であっても構わない。具体的には、画像や音声のデータが圧縮符号化及び多重化されて記録されている。
【００２６】
拡大画像作成部１８は、範囲情報取得部１２が取得したトリミング領域２２の範囲を示す位置情報に基づいて、当該トリミング領域２２に割り当てられたトリミング画像を画像記録部１７から読み出す。そして、拡大画像作成部１８は、表示位置制御部１６が決定した位置及びサイズに基づいて、画像記録部１７から読み出したトリミング画像を処理することで拡大画像を作成する。また、拡大画像作成部１８は、表示位置制御部１６が調整した位置及びズームに基づいて、拡大画像を処理することで新たな拡大画像を作成する。
【００２７】
拡大画像記録部１９は、利用者が所定の操作をすることにより入力した操作信号から、拡大画像作成部１８が作成した拡大画像を記録する旨の指示を抽出した場合に当該拡大画像を記録する。なお、拡大画像作成部１８は、表示位置制御部１６が決定した位置及びサイズに基づいて拡大画像を作成する際や、表示位置制御部１６が調整した位置及びズームに基づいて新たな拡大画像を作成する際に、作成予定の拡大画像と同一の位置、サイズ及びズームの画像が既に拡大画像記録部１９に記録されている場合には、当該画像を拡大画像記録部１９から抽出するものとする。
【００２８】
なお、デジタルカメラ等をはじめとする画像表示装置１は、上記の他にも撮影レンズ２０で撮影した画像を画像記録部１７に記録する処理などデジタルカメラ等における本来の動作を実行するための各種構成要素を備えるが、本発明と直接関係しない部分については便宜上説明を省略する。
【００２９】
[画像表示方法]
（i）拡大画像を表示画面上で略最大に表示させる方法
まず、画像表示装置１において、表示画面２１の一部に設定されたトリミング領域２２に割り当てられたトリミング画像を拡大し、自動的に表示画面２１上でできるだけ大きく表示させる方法の概要について説明する。なお、このように、表示画面２１上でできるだけ大きく表示することを「略最大」と呼ぶ。これは、表示画面内に後述する枠が設定されている場合、表示画面の最大サイズと、表示画面上でできるだけ大きく表示する画像のサイズが正確には一致しないからである。即ち、このような場合も含めるように「略最大」と呼ぶことにする。
【００３０】
図３（Ａ）及び（Ｂ）は、トリミングモードにおいて、画像表示装置１が備える表示画面２１に所定の画像が表示されている例を示す。利用者は、図２に示すトリミング操作指示ボタン２４を操作することにより、通常モードとトリミングモードの切り替えをすることができる。通常モードでは表示画面２１上にトリミング領域２２を示す破線は表示されない。一方、トリミングモードでは表示画面２１上にトリミング領域２２を示す破線が表示される。利用者は、表示画面２１に画像記録部１７に記録された画像を表示させることにより、任意の静止画や動画を閲覧することが可能である。
【００３１】
利用者は、トリミングモードにおいてタッチパネルを操作することにより、図３（Ａ）に示すように、破線で示されるトリミング領域２２の位置を自由に変更することができる。また、利用者は、トリミングモードにおいてタッチパネルを操作することにより、図３（Ｂ）に示すように、破線で示されるトリミング領域２２のサイズを自由に変更することができる。トリミング領域２２に割り当てられたトリミング画像は、利用者がトリミング操作指示ボタン２４によりトリミング領域２２の範囲、即ちトリミング領域２２の位置及びサイズを決定する操作を行った際に拡大され、図３（Ｃ）に示すように、拡大画像として表示画面２１全体に表示される。つまり、利用者がトリミング領域２２の位置やサイズを自由に変更することができるということは、表示画面２１全体に拡大した表示する拡大画像を自由に設定することができるということである。
【００３２】
利用者は、任意で設定したトリミング領域２２に対応する拡大画像が表示画面２１全体に表示されている際にズームを調整したいと考えた場合、ズームボタン２３を操作することにより、図４（Ａ）に示すように当該拡大画像の拡大・縮小を自由に調整することができる。また、利用者は、任意で設定したトリミング領域２２に対応する拡大画像が表示画面２１全体に表示されている際に位置を微調整したいと考えた場合、タッチパネルを操作することにより、図４（Ａ）に示すように当該拡大画像の位置を自由に微調整することができる。具体的に、拡大画像の位置を左に移動させた表示画面例を図４（Ｂ）に示す。このように微調整した拡大画像を、例えばプリントアウトするために記録しておきたいと考えた場合、利用者は、トリミング操作指示ボタン２４を操作する。これにより、画像表示装置１は、図４（Ｂ）に示すような拡大画像を拡大画像記録部１９に記録する。よって、利用者は任意のタイミングで位置、サイズ及びズームを調整した拡大画像を拡大画像記録部１９から抽出し、プリントアウト等所定の処理を拡大画像に対して行うことができる。
【００３３】
なお、上記の表示方法では、図４（Ｂ）に示すように、表示画面２１に表示されている画像が拡大画像であることを示す情報は表示されていないが、本発明はこれに限定されるものではない。つまり、表示画面２１に、通常モードで表示される全体画像ではなく拡大画像が表示されている場合に、そのことを示す指示情報を表示することとしてもよい。具体的には、図４（Ｃ）に示すように、拡大画像とともに当該拡大画像を囲む枠３０を表示することで、表示画面２１に拡大画像が表示されていることを示すことができる。この場合、指示情報は枠３０であり、枠３０の色やデザインは任意に設定することができる。このように、拡大画像とともに当該拡大画像を囲む枠３０が表示されていることで、利用者は視覚的に全体画像ではなく拡大画像が表示されていることを容易に認識することができる。また、枠３０が表示されることで拡大画像が表示画面２１よりも少し小さく表示されることになるため、利用者は直感的に全体画像ではなく拡大画像が表示されていることを認識することができる。
【００３４】
また、上記の表示方法では、トリミング領域の範囲や拡大画像の位置、サイズ及びズームを、タッチパネル、ズームボタン２３及びトリミング操作指示ボタン２４により決定・調整することとしているが、本発明はこれに限定されるものではなく、マウスや十字キーを使用するなど種々の方法を使用することが可能である。つまり、本発明は、トリミング領域の範囲や拡大画像の位置、サイズ及びズームの決定・調整方法を限定するものではない。
（ii）拡大画像を表示画面上で略最大に表示させるとともに、概略情報を示す方法
次に、画像表示装置１において、トリミング画像を拡大して表示画面上で略最大に表示させるとともに、当該トリミング画像の全体画像上における位置やサイズといった概略を示す方法の概要について説明する。
【００３５】
図５（Ａ）は、トリミングモードにおいて、画像表示装置１が備える表示画面２１に所定の画像が表示されている例を示す。なお、トリミング領域２２の範囲の決定や、拡大画像の位置、サイズ及びズームの調整については、上記の表示方法と同様であるため、便宜上説明は省略する。
【００３６】
トリミング領域２２に割り当てられたトリミング画像は、利用者がトリミング操作指示ボタン２４によりトリミング領域２２の範囲を決定する操作を行った際に拡大され、図５（Ｂ）に示すように、拡大画像として表示画面全体に表示される。このとき、拡大画像とともに、当該拡大画像を囲む枠３２が表示される。ここで、枠３２は、上述のように表示画面２１に全体画像ではなく拡大画像が表示されていることを示す指示情報であるが、それだけではなく、表示画面全体におけるトリミング領域の位置やサイズを示す概略情報でもある。具体的に、図５（Ａ）に示すような表示画面２１におけるトリミング領域２２は、中心よりやや左上に位置している。この場合、当該トリミング領域２２に割り当てられたトリミング画像を拡大して表示する際には、図５（Ｂ）に示すように、拡大画像の枠３２の左辺及び上辺の幅は狭く、右辺及び下辺の幅は広くなるように表示される。
【００３７】
これによれば、例えば枠３２の上辺の幅が最小又は無い場合には、トリミング画像は全体画像の上方向限界に位置していることが直感的にわかるようになっている。つまり、利用者は、枠３２の左右上下方向の各辺の幅によって、表示画面全体に対するトリミング領域の位置やサイズを概ね認識することが可能となる。換言すると、利用者は、枠３２の左右上下方向の各辺の幅によって、全体画像に対するトリミング画像の位置やサイズを概ね認識することが可能となる。拡大画像はトリミング画像を拡大したものであるため、このように、枠３２の幅でトリミング画像の全体画像上での位置を認識することができれば、拡大画像の位置やズームの調整をする際にどのあたりまで当該拡大画像を移動させることができるか容易に把握することができ、有効である。
【００３８】
なお、枠３２の左右上下方向の各辺の幅により示す概略情報は、トリミング画像の左右上下方向に全体画像があるか否かがわかる程度の情報でもよく、あるいは、少しあるか沢山あるかがわかる程度の情報でもよい。
【００３９】
ここで、全体画像に対するトリミング画像の位置やサイズと、枠３２の左右上下方向の各辺の幅との関係について、図６及び図７を参照して詳しく説明する。図６（Ａ）は、全体画像を表示した表示画面例である。また、図６（Ｂ）は、図６（Ａ）に示すトリミング領域２２に割り当てられたトリミング画像を拡大した拡大画像を表示した表示画面例である。
【００４０】
なお、図６（Ａ）に示すように、トリミング領域２２に割り当てられたトリミング画像の横幅をＴＷとする。また、横幅について全体画像とトリミング画像の位置及びサイズを比較した際の左側の差分をＳＬ、右側の差分をＳＲとする。さらに、図６（Ｂ）に示すように、拡大画像の横幅をＩＷとする。また、枠３２の左辺の幅をＦＬ、右辺の幅をＦＲとする。
【００４１】
図７は、縦軸をＦＬ/ＦＲ、横軸をＳＬ/ＳＲとした場合におけるトリミング画像の位置やサイズと、枠３２の左右各辺の幅との関係を示す直線及び曲線である。画像表示装置１は、トリミング領域の範囲が決定された場合又は拡大画像が調整された場合、取得した範囲情報又は調整情報と、図７に示すような直線又は曲線とに基づいて、拡大画像と枠３２の位置及びサイズを決定する。即ち、画像表示装置１は、範囲情報と、図７に示すような直線又は曲線とに基づいて、表示画面２１に表示する拡大画像と枠３２を作成する。
【００４２】
まず、図７（Ａ）を参照して説明する。トリミング画像の位置やサイズと、枠３２の左右各辺の幅との関係を示す直線が図７（Ａ）に示すような場合、全体画像に対するトリミング画像の位置が左端であって、トリミング画像の左方向に全体画像が存在しないとき、即ちＳＬが「０」であるとき、画像表示装置１は、図６（Ｂ）に示すＦＬを「０」とする。なお、ＦＬの値が決定すれば、当該ＦＬの値、表示画面２１のサイズ及び拡大画像のサイズに基づいてＦＲの値は算出することができる。同様に、ＦＲの値が決定すれば、当該ＦＲの値、表示画面のサイズ及び拡大画像のサイズに基づいてＦＬの値は算出することができる。
【００４３】
また、全体画像に対するトリミング画像の位置が右端であって、トリミング画像の右方向に全体画像が存在しないとき、即ちＳＲが「０」であるとき、画像表示装置１は、ＦＲを「０」とする。一方、全体画像に対するトリミング画像の位置が左端でも右端でもなく、トリミング画像の左方向及び右方向の双方に全体画像が存在するとき、即ちＳＬ及びＳＲの値が「０」ではないとき、画像表示装置１は、ＦＬ及びＦＲを「一定の値ｆ０」とする。
【００４４】
これによれば、利用者は、枠３２のＦＬ又はＦＲの幅が「０」であるか、「一定の値ｆ０」であるかにより、トリミング画像の左右方向に全体画像があるか否かを直感的に認識することができる。
【００４５】
次に、図７（Ｂ）を参照して説明する。トリミング画像の位置やサイズと、枠３２の左右各辺の幅との関係を示す直線が図７（Ｂ）に示すような場合、全体画像に対するトリミング画像の位置が左端であって、トリミング画像の左方向に全体画像が存在しないとき、即ちＳＬが「０」であるとき、画像表示装置１は、図６（Ｂ）に示すＦＬを「０」とする。
【００４６】
一方、全体画像に対するトリミング画像の位置が左端ではないがかなり左寄りであって、トリミング画像の左方向に全体画像が存在するとき、画像表示装置１は、ＦＬを「所定の第１の値ｆ１」とし、これに伴いＦＲの値を決定する。また、全体画像に対するトリミング画像の位置が画像に対するトリミング画像の位置が中央付近であるとき、画像表示装置１は、ＦＬを「所定の第２の値ｆ２」とし、これに伴いＦＲの値を決定する。また、全体画像に対するトリミング画像の位置が右端ではないがかなり右寄りであって、トリミング画像の右方向に全体画像が存在するとき、画像表示装置１は、ＦＬを「所定の第３の値ｆ３」とし、これに伴いＦＲの値を決定する。
【００４７】
一方、全体画像に対するトリミングの位置が右端であって、トリミング画像の右方向に全体画像が存在しないとき、即ちＳＲが「０」であるとき、画像表示装置１は、ＦＲを「０」とする。
【００４８】
これによれば、利用者は、枠３２のＦＬ又はＦＲの幅が「０」であるか否かにより、トリミング画像の左右方向に全体画像があるか否かを直感的に認識することができる。また、利用者は、枠３２のＦＬが「所定の第１の値ｆ１」であればトリミング画像が全体画像のかなり左寄りに位置しており、「所定の第２の値ｆ２」であればトリミング画像が全体画像の中央付近に位置しており、「所定の第３の値ｆ３」であればトリミング画像が全体画像の右寄りに位置していることを認識することができる。つまり、利用者は、枠３２により、トリミング画像の左右方向に全体画像があるか否かのみならず、段階的な位置も認識することができる。換言すると、図７（Ｂ）に示すような直線によれば、トリミング画像の位置やサイズと、枠３２の左右各辺の幅との関係を段階的な非線形とすることができる。
【００４９】
最後に、図７（Ｃ）を参照して説明する。トリミング画像の位置やサイズと、枠３２の左右各辺の幅との関係を示す曲線が図７（Ｃ）に示すような場合、全体画像に対するトリミング画像の位置が左端であって、トリミング画像の左方向に全体画像が存在していないとき、即ちＳＬが「０」であるとき、画像表示装置１は、図６（Ｂ）に示すＦＬを「０」とする。
【００５０】
一方、全体画像に対するトリミング画像の位置が左端ではないとき、画像表示装置１は、図６（Ａ）に示すＳＬの幅に基づいて図７（Ｃ）に示す曲線を参照することにより、ＦＬの値を増加させる。そして、画像表示装置１は、ＳＬの幅が一定以上となったとき、ＦＬを「一定の値ｆ４」とする。即ち、ＳＬの幅が一定の値より大きくなったとしても、それに比例してＦＬの値が大きくなるということはない。本発明は、トリミング領域に割り当てられた画像を拡大して略最大に表示することを目的としているため、図７（Ｃ）に示すとおり、トリミング画像の位置やサイズと、枠３２の左右各辺の幅との関係は正比例にはしない。
【００５１】
一方、全体画像に対するトリミングの位置が右端であって、トリミング画像の右方向に全体画像が存在しないとき、即ちＳＲが「０」であるとき、画像表示装置１は、ＦＲを「０」とする。
【００５２】
これによれば、利用者は、枠３２のＦＬ又はＦＲの幅が「０」であるか否かにより、トリミング画像の左右方向に全体画像があるか否かを直感的に認識することができる。また、利用者は、ＦＬが「一定の値ｆ４」に達するまでであれば、トリミング画像が全体画像のどのあたりに位置しているのかをＦＬの幅の大きさで相対的に認識することができる。一方、ＦＬが「一定の値ｆ４」に達していればトリミング画像のかなり左寄りに位置していることを認識することができる。つまり、利用者は、枠３２により、トリミング画像の左右方向に全体画像があるか否かのみならず、大まかな位置も認識することができる。換言すると、図７（Ｃ）に示すような曲線によれば、トリミング画像の位置やサイズと、枠３２の左右各辺の幅との関係を非線形とすることができる。
【００５３】
このように、本発明では、トリミング画像の位置やサイズと、枠３２の左右各辺の幅との関係を非線形とする点に１つの特徴を有する。これは、全体画像におけるトリミング画像の位置やサイズに対して線形に枠３２の左右各辺の幅を変えることとすると、表示画面における枠の占める面積が増大し、トリミング画像を略最大に表示することができなくなるからである。
【００５４】
なお、全体画像に対するトリミング画像の位置やサイズと、枠３２の上下方向の各辺の幅との関係については、上述した左右方向の各辺の幅との関係と同様であるため、便宜上説明は省略する。
【００５５】
[画像表示処理]
次に、画像表示装置１により実行される画像表示処理について説明する。図８は、画像表示処理のフローチャートである。
【００５６】
利用者は、まず、図１に示すトリミング操作指示ボタン２４を操作することにより、トリミングを行うか否かを決定する。画像表示装置１は、利用者が入力した操作信号を取得し、当該操作信号から利用者がトリミングを行う指示をしたか否かを判定する（ステップＳ１）。トリミングを行う指示をしていないと判定した場合（ステップＳ１；Ｎｏ）、画像表示装置１は、通常モードで全体画像を表示し（ステップＳ）、画像表示処理を完了する。一方、トリミングを行う指示をしていると判定した場合（ステップＳ１；Ｙｅｓ）、画像表示装置１は、図５（Ａ）に示すようなトリミングモードとなるように表示画面の切り替えを行う（ステップＳ３）。
【００５７】
利用者は、トリミングモードにおいてトリミング領域２２の範囲の指定を行う場合、タッチパネルを操作することによりトリミング領域２２の位置及びサイズの変更を行う。一方、トリミング領域２２の範囲の指定を行わない場合、例えば既に拡大画像が表示画面２１上で表示されている場合、トリミング領域２２の位置及びサイズの変更は行わない。画像表示装置１は、利用者がタッチパネルを操作することにより入力した操作信号を取得し、当該操作信号からトリミング領域２２の範囲指定があるか否かを判定する（ステップＳ４）。
【００５８】
トリミング領域２２の範囲の指定が行われていないと判定した場合（ステップＳ４；Ｎｏ）、画像表示装置１は、ステップＳ７へ進む。一方、トリミング領域２２の範囲の指定が行われたと判定した場合（ステップＳ４；Ｙｅｓ）、画像表示装置１は、操作信号から指定したトリミング領域の範囲を示す範囲情報を取得する。そして、画像表示装置１は、取得した範囲情報に基づいて、トリミング領域２２に割り当てられたトリミング画像を読み出し、当該トリミング画像を拡大した際の拡大画像及び枠の位置やサイズを決定する（ステップＳ５）。さらに、画像表示装置１は、決定した拡大画像及び枠の位置やサイズに基づいて、読み出したトリミング画像を拡大処理することにより拡大画像及び枠を作成する。そして、画像表示装置１は、図５（Ｂ）に示すように、作成した拡大画像及び枠を表示画面２１全体に表示する（ステップＳ６）。
【００５９】
利用者は、図５（Ｂ）に示すように、表示画面２１全体に表示された拡大画像の調整を行う場合、タッチパネルやズームボタン２３を操作することにより拡大画像の位置及びズームの調整を行う。画像表示装置１は、利用者がタッチパネルやズームボタン２３を操作することにより入力した操作信号を取得し、当該操作信号から拡大画像の調整があるか否かを判定する（ステップＳ７）。拡大画像の調整がないと判定した場合（ステップＳ７；Ｎｏ）、画像表示装置１は、ステップＳ１３へ進む。一方、拡大画像の調整があると判定した場合（ステップＳ７；Ｙｅｓ）、画像表示装置１は、利用者がタッチパネルを操作することにより入力した操作信号から拡大画像の位置情報を取得する（ステップＳ９）。そして、画像表示装置１は、取得した位置情報に基づいて新たな拡大画像及び枠の位置やサイズを決定する（ステップＳ１０）。
【００６０】
また、画像表示装置１は、利用者がズームボタン２３を操作することにより入力した操作信号から拡大画像のズーム情報を取得する（ステップＳ１１）。そして、画像表示装置１は、ステップＳ１０で決定した拡大画像及び枠の位置やサイズと、ステップＳ１１で取得したズーム情報とに基づいて、新たな拡大画像及び枠を作成し、表示画面２１全体に表示する（ステップＳ１２）。
【００６１】
利用者は、調整した拡大画像を拡大画像記録部に記録する場合、画像表示装置１において所定の操作を行う。画像表示装置１は、利用者が所定の操作を行うことにより入力した操作信号から、拡大画像を記録する旨の指示があるか否かを判定する（ステップＳ１３）。拡大画像を記録する旨の指示がある場合、画像表示装置１は、現在表示されている拡大画像を拡大画像記録部に記録し（ステップＳ１４）、ステップＳ１乃至Ｓ１３の処理を繰り返し行う。このように、拡大画像記録部に記録された拡大画像は利用者の任意で読み出すことが可能であり、当該拡大画像に対してプリントアウト等の処理を行うことができる。一方、拡大画像を記録する旨の指示がない場合、ステップＳ１乃至Ｓ１３の処理を繰り返し行う。
【００６２】
なお、上記の表示方法において、図１に示す画像記録部１７には予め静止画又は動画が記録されているものとしているが、本発明はこれに限定されるものではなく、例えば画像表示装置１が小型のテレビや携帯電話である場合には、表示画面２１上で表示される画像は予め記録されているものでなく受信するものであっても構わない。
【００６３】
本発明によれば、トリミング画像を拡大して表示画面２１に略最大で表示させるとともに、当該トリミング画像の全体画像上における位置等を示すことができる。つまり、利用者が位置及びサイズを自由に設定することができるトリミング領域２２に割り当てられたトリミング画像を、容易に、表示画面２１全体に表示することができる。また、表示画面２１全体に拡大画像が表示されている場合であっても、枠などの指示情報により、利用者が指定したトリミング画像の上下左右方向に全体画像があるか否か、トリミング画像が全体画像のどの位置にあるかなどを容易に認識することができる。
【００６４】
これによれば、具体的には、画像表示装置１が表示画面２１の小さい小型テレビやテレビ付携帯電話であった場合、利用者は、全体画像の一部にトリミング領域２２を設定し、当該トリミング領域に割り当てられたトリミング画像の位置やズームを任意に設定することで、閲覧しにくい画像を自由に拡大し無理なく閲覧することができる。また、画像表示装置１がデジタルカメラであり、プリントアウトする画像を調整する場合に、拡大画像が表示画面２１全体に表示されている状態であっても、枠などの指示情報により、容易に全体画像に対するトリミング画像の位置及びサイズを認識することができるため、移動できないにも関わらず当該拡大画像の位置を変更させようとするといった余計なストレスを防止することができる。つまり、拡大画像を決定・調整する際のユーザインタフェースを向上させることができる。
【図面の簡単な説明】
【００６５】
【図１】本発明の画像表示装置の概略構成を示す図である。
【図２】画像表示装置の構成を模式的に示す図である。
【図３】全体画像が表示されたトリミングモードにおける表示画面例である。
【図４】拡大画像が表示されたトリミングモードにおける表示画面例である。
【図５】拡大画像とともに概略情報を示す場合における表示画面例である。
【図６】拡大画像と枠の幅との関係を示す表示画面例である。
【図７】トリミング画像の位置と、枠の左右各辺の幅との関係を示す直線を示す図である。
【図８】本実施形態における画像表示処理のフローチャートである。
【符号の説明】
【００６６】
１  画像表示装置、１０  トリミング開始・決定指示部、１１  システム制御部、１２  範囲情報取得部、１３  調整情報取得部、１４  位置情報取得部、１５  ズーム情報取得部、１６  表示位置制御部、１７  画像記録部、１８  拡大画像作成部、１９  拡大画像記録部、２１  表示画面
【図１】
2005227476.tif 000003
【図２】
2005227476.tif 000004
【図３】
2005227476.tif 000005
【図４】
2005227476.tif 000006
【図５】
2005227476.tif 000007
【図６】
2005227476.tif 000008
【図７】
2005227476.tif 000009
【図８】
2005227476.tif 000010